(57)【要約】【課題】光学素子を効果的に冷却できるプロジェクターを提供する。【解決手段】プロジェクター１は、光学素子６に空気を送風する冷却ファンと、光束を透過させる開口部７３を有し、光学素子６が取り付けられる光学素子保持部７とを備える。光学素子保持部７には、当該光学素子保持部７外面から開口部７３の内側縁７３Ｄに貫通し、冷却ファンからの空気を開口部７３の内側縁７３Ｄから光学素子６の表面に沿って流通させる貫通孔８が形成されている。【選択図】図５
2012198403.tif 000002
【特許請求の範囲】
【請求項１】
光学素子に空気を送風する冷却ファンを備えたプロジェクターであって、
光束を透過させる開口部を有し、前記光学素子が取り付けられる光学素子保持部を備え、
前記光学素子保持部には、
前記光学素子保持部外面から前記開口部内側縁に貫通し、前記冷却ファンからの空気を前記開口部内側縁から前記光学素子の表面に沿って流通させる貫通孔が形成されている
ことを特徴とするプロジェクター。
【請求項２】
請求項１に記載のプロジェクターにおいて、
前記貫通孔は、
前記開口部内側縁の複数の位置にそれぞれ貫通し、前記冷却ファンからの空気を前記複数の位置から前記光学素子の表面に沿ってそれぞれ流通させる
ことを特徴とするプロジェクター。
【請求項３】
請求項２に記載のプロジェクターにおいて、
前記貫通孔は、
前記複数の位置からの空気の各流通方向が互いに交差するように設けられている
ことを特徴とするプロジェクター。
【請求項４】
請求項３に記載のプロジェクターにおいて、
前記貫通孔は、
前記光学素子に入射する光束の光軸に沿う方向から見て、前記光学素子の表面の中心位置で前記各流通方向が互いに交差するように設けられている
ことを特徴とするプロジェクター。
【請求項５】
請求項２から請求項４のいずれかに記載のプロジェクターにおいて、
前記開口部は、
第１〜第４内側縁を有する矩形状に形成され、
前記貫通孔は、
前記第１内側縁の複数の位置にそれぞれ貫通し、前記光学素子に入射する光束の光軸に沿う方向から見て、前記光学素子の表面の中心位置を通り前記第１内側縁に直交する仮想線を基準として対称となるように設けられている
ことを特徴とするプロジェクター。
【請求項６】
請求項１または請求項２に記載のプロジェクターにおいて、
前記冷却ファンは、
前記貫通孔を介して、前記光学素子の表面に沿ってレイノルズ数が３０００００以上となる流速で空気を流通させる
ことを特徴とするプロジェクター。
【発明の詳細な説明】
【技術分野】
【０００１】
本発明は、プロジェクターに関する。
【背景技術】
【０００２】
従来、プロジェクターにおいて、液晶パネルや偏光板等の光学素子を冷却するために、冷却ファンから光学素子に空気を送風する構成が知られている（例えば、特許文献１参照）。
特許文献１に記載のプロジェクターは、一対のシロッコファンと、一対のシロッコファンから吐出された空気を光学素子の下方側に導くダクトとを備える。
そして、一対のシロッコファンから吐出された空気は、ダクトを介して、下方側から上方側に向けて光学素子の表面に沿って流通し、当該光学素子を冷却する。
【先行技術文献】
【特許文献】
【０００３】
【特許文献１】特開２００３−１２１９３１号公報
【発明の概要】
【発明が解決しようとする課題】
【０００４】
しかしながら、特許文献１に記載のプロジェクターでは、ダクトと光学素子とが離間して配設され、かつ、光学素子が保持枠等の部材に取り付けられているので、光学素子の表面に沿って空気を良好に流通させることが難しい。
したがって、光学素子を効果的に冷却することが難しい、という問題がある。
【０００５】
本発明の目的は、光学素子を効果的に冷却できるプロジェクターを提供することにある。
【課題を解決するための手段】
【０００６】
本発明のプロジェクターは、光学素子に空気を送風する冷却ファンを備えたプロジェクターであって、光束を透過させる開口部を有し、前記光学素子が取り付けられる光学素子保持部を備え、前記光学素子保持部には、前記光学素子保持部外面から前記開口部内側縁に貫通し、前記冷却ファンからの空気を前記開口部内側縁から前記光学素子の表面に沿って流通させる貫通孔が形成されていることを特徴とする。
【０００７】
本発明では、プロジェクターは、冷却ファンと、上述した貫通孔が形成された光学素子保持部とを備える。
このことにより、例えば、冷却ファンにおける空気を吐出する吐出口と、光学素子保持部外面（貫通孔）とをチューブ等により接続すれば、冷却ファンから吐出された空気を、貫通孔を介して開口部内側縁から光学素子の表面に沿って確実に流通させることができる。
したがって、光学素子を効果的に冷却できる。
【０００８】
本発明のプロジェクターでは、前記貫通孔は、前記開口部内側縁の複数の位置にそれぞれ貫通し、前記冷却ファンからの空気を前記複数の位置から前記光学素子の表面に沿ってそれぞれ流通させることが好ましい。
本発明では、貫通孔が上述したように形成されているので、冷却ファンからの空気を開口部内側縁の複数の位置から光学素子の表面に沿ってそれぞれ流通させることができる。
すなわち、光学素子の表面全体に亘って空気を流通させることができ、光学素子全体を均等に冷却することができる。
【０００９】
本発明のプロジェクターでは、前記貫通孔は、前記複数の位置からの空気の各流通方向が互いに交差するように設けられていることが好ましい。
ところで、光学素子の表面には、空気の粘性の影響により、所謂、速度境界層（空気の流速の変化が激しい薄い層の領域（表面で流速がゼロ）が存在する。
この速度境界層は、流通する空気と光学素子との間での熱交換を阻害するものである。
【００１０】
本発明では、開口部内側縁における複数の位置からの空気の各流通方向が互いに交差するように設定されている。
このことにより、当該複数の位置から光学素子の表面に沿ってそれぞれ流通する空気同士を互いに衝突させることができる。このため、当該衝突によって、光学素子の表面に沿って所謂、乱流（乱れを含む流れ）の状態で空気を流通させることができる。
そして、光学素子の表面に沿って乱流の状態で空気が流通した場合には、光学素子の表面に存在する速度境界層を破壊する、あるいは、速度境界層を薄くすることができる。
すなわち、光学素子の表面の速度境界層を破壊あるいは薄くすることで、流通する空気と光学素子との間で熱交換を良好に行わせることができ、光学素子をより効果的に冷却できる。
【００１１】
本発明のプロジェクターでは、前記貫通孔は、前記光学素子に入射する光束の光軸に沿う方向から見て、前記光学素子の表面の中心位置で前記各流通方向が互いに交差するように設けられていることが好ましい。
ところで、光学素子に光束を照射する場合には、光学素子の表面における中心領域（中心位置を含む所定の領域）の照度が高く、他の領域の照度が低くなる。すなわち、光学素子には、高い照度の中心領域の温度が高く、低い照度の他の領域の温度が低くなり、照度分布に応じて温度分布が生じることとなる。
【００１２】
本発明では、開口部内側縁における複数の位置からの空気の各流通方向が上述したように設定されているので、当該複数の位置から光学素子の表面に沿ってそれぞれ流通する空気同士を光学素子の表面の中心位置で互いに衝突させることができる。
すなわち、光学素子の表面に沿って流通する空気には、光学素子の表面における中心領域で乱流が生じることとなり、当該中心領域の速度境界層を主に破壊あるいは薄くすることができる。
したがって、光学素子の表面における中心領域の速度境界層を主に破壊あるいは薄くすることで、流通する空気により当該中心領域を主に冷却し、光学素子の温度分布を均一化することができる。
【００１３】
本発明のプロジェクターでは、前記開口部は、第１〜第４内側縁を有する矩形状に形成され、前記貫通孔は、前記第１内側縁の複数の位置にそれぞれ貫通し、前記光学素子に入射する光束の光軸に沿う方向から見て、前記光学素子の表面の中心位置を通り前記第１内側縁に直交する仮想線を基準として対称となるように設けられていることが好ましい。
【００１４】
本発明では、貫通孔は、第１内側縁の複数の位置にそれぞれ貫通し、上述した仮想線を基準として対称となるように設けられている。
このことにより、例えば、第１内側縁を上述した仮想線で第１領域及び第２領域に分けた場合に、第１領域からの空気と、第２領域からの空気とのバランス（流量や流速等のバランス）をとることができる。
したがって、第１内側縁の複数の位置からの空気同士を、光学素子に入射する光束の光軸に沿う方向から見て、光学素子の表面における仮想線上の所望の位置（例えば、光学素子の表面の中心位置）で衝突させるように容易に設定できる。
【００１５】
本発明のプロジェクターでは、前記冷却ファンは、前記貫通孔を介して、前記光学素子の表面に沿ってレイノルズ数が３０００００以上となる流速で空気を流通させることが好ましい。
ところで、平板表面に沿って流体を流通させる場合、当該流体の流速をレイノルズ数が３０００００以上となる流速に設定すると、当該流体は、乱流の状態で平板表面に沿って流通する。
本発明では、冷却ファンは、上述したように光学素子の表面に沿って空気を流通させる。言い換えれば、冷却ファンは、乱流の状態で光学素子の表面に沿って空気を流通させる。
すなわち、光学素子の表面に沿って乱流の状態で空気を流通させることで、光学素子の表面に存在する速度境界層を破壊あるいは薄くすることができ、流通する空気と光学素子との間で熱交換を良好に行わせることができ、光学素子をより効果的に冷却できる。
【図面の簡単な説明】
【００１６】
【図１】第１実施形態におけるプロジェクターの概略構成を示す図。
【図２】第１実施形態における光変調装置の構造を示す図。
【図３】第１実施形態における光変調装置の構造を示す図。
【図４】第１実施形態における液晶パネルの冷却構造を示す図。
【図５】第１実施形態における液晶パネルの冷却構造を示す図。
【図６】第２実施形態における光学素子保持部を光入射側から見た図。
【発明を実施するための形態】
【００１７】
[第１実施形態]
以下、本発明の第１実施形態を図面に基づいて説明する。
〔プロジェクターの構成〕
図１は、プロジェクター１の概略構成を示す図である。
プロジェクター１は、画像を投射してスクリーン（図示略）上に投影画像を表示する。
そして、このプロジェクター１は、図１に示すように、外装筐体２内部に収納される光学ユニット３及び冷却ファン４（図４参照）を備える。
【００１８】
〔光学ユニットの構成〕
光学ユニット３は、図１に示すように、発光管３１１及びリフレクター３１２を有する光源装置３１と、レンズアレイ３２１，３２２、偏光変換素子３２３、及び重畳レンズ３２４を有する照明光学装置３２と、ダイクロイックミラー３３１，３３２、及び反射ミラー３３３を有する色分離光学装置３３と、入射側レンズ３４１、リレーレンズ３４３、及び反射ミラー３４２，３４４を有するリレー光学装置３４と、３つの入射側偏光板３５と、３つの光変調装置５と、３つの出射側偏光板３７と、色合成光学装置としてのクロスダイクロイックプリズム３８と、投射光学装置としての投射レンズ３９とを備える。
そして、光学ユニット３では、上述した構成により、光源装置３１から出射され照明光学装置３２を介した光束は、色分離光学装置３３にて赤（Ｒ）、緑（Ｇ）、青（Ｂ）の３つの色光に分離される。また、分離された各色光は、各光変調装置５（液晶パネル６）にてそれぞれ変調される。変調された各色光は、プリズム３８にて合成されて画像となり、投射レンズ３９にてスクリーンに投射される。
なお、各部材３１〜３９については、一般的なプロジェクターの光学系として用いられるものであるため、説明を省略し、以下では、光変調装置５の構成を説明する。
【００１９】
〔光変調装置の構成〕
図２及び図３は、光変調装置５の構成を示す図である。具体的に、図２は、光変調装置５を光入射側から見た図である。図３は、図２のIII-III線の断面図である。
なお、３つの光変調装置５は、同様の構成であり、以下では１つの光変調装置５のみを説明する。
光変調装置５は、図２または図３に示すように、光学素子としての液晶パネル６と、光学素子保持部７とを備える。
液晶パネル６は、図３に示すように、ガラス等からなる一対の基板６Ａ，６Ｂに電気光学物質である液晶が密閉封入された構成を有している。
【００２０】
一対の基板６Ａ，６Ｂのうち、一方の基板６Ａは、液晶を駆動するための駆動基板であり、具体的な図示は省略したが、複数のデータ線と、複数の走査線と、走査線及びデータ線の交差に対応して形成された画素電極と、ＴＦＴ(Thin Film Transistor)等のスイッチング素子とを有している。
また、他方の基板６Ｂは、駆動基板６Ａに対して所定間隔を空けて対向配置される対向基板であり、具体的な図示は省略したが、所定の電圧Ｖcomが印加される共通電極を有している。
そして、駆動基板６Ａは、図３に示すように、対向基板６Ｂの外形形状よりも大きい外形形状となるように形成されている。
【００２１】
また、対向基板６Ｂの光入射面、及び駆動基板６Ａの光出射面には、図３に示すように、入射側防塵ガラス６Ｃ及び出射側防塵ガラス６Ｄがそれぞれ貼り付けられている。
入射側防塵ガラス６Ｃは、水晶等の熱伝導性の高い透光性材料から構成され、対向基板６Ｂと略同一の外形形状を有し、対向基板６Ｂの光入射面に貼り付けられている。
出射側防塵ガラス６Ｄは、入射側防塵ガラス６Ｃと同様の材料から構成され、駆動基板６Ａと略同一の外形形状を有し、駆動基板６Ａの光出射面に貼り付けられている。
【００２２】
光学素子保持部７は、光変調装置５を保持する部材であり、図２または図３に示すように、光変調装置５が内部に収納される矩形枠形状を有する。
具体的に、光学素子保持部７において、光出射面には、図３に示すように、駆動基板６Ａの外形形状に対応した第１凹部７１が形成されている。
また、第１凹部７１の底部分には、対向基板６Ｂの外形形状に対応した第２凹部７２が形成されている。
さらに、第２凹部７２の底部分には、図２または図３に示すように、光変調装置５の画像形成領域に対応して、光学素子保持部７の光入射面に貫通した矩形状の開口部７３が形成されている。
なお、以下では、開口部７３における４つの内側縁のうち、下方側の内側縁を第１内側縁７３Ｄ、上方側の内側縁を第２内側縁７３Ｕ、左右両側の各内側縁を第３，第４内側縁７３Ｌ，７３Ｒと記載する。
以上のように、光学素子保持部７は、各凹部７１，７２及び開口部７３により光変調装置５に入射する光束の光軸に沿って貫通する枠状に形成されている。
【００２３】
そして、液晶パネル６は、光学素子保持部７の光出射側から、光学素子保持部７内部に挿入され、図３に示すように、入射側防塵ガラス６Ｃの光入射面が第２凹部７２の底部分に当接し、駆動基板６Ａが第１凹部７１の底部分に当接した状態で、光学素子保持部７内部に収納される。
【００２４】
また、光学素子保持部７には、図２または図３に示すように、下方側の外側面から開口部７３の第１内側縁７３Ｄに貫通する貫通孔８が形成されている。
貫通孔８は、図３に示すように、流入孔８１と、連通凹部８２と、複数の溝部８３とで構成されている。
流入孔８１は、図２または図３に示すように、光学素子保持部７の下方側の外側面における左右方向の略中央部分から第２凹部７２における下方側の側壁に向けて穿設された断面円形状の孔である。
また、光学素子保持部７の下方側の外側面には、図２または図３に示すように、外部に向けて突出し、流入孔８１に連通する接続管８１Ａが設けられている。
【００２５】
連通凹部８２は、図２または図３に示すように、第２凹部７２における下方側の側壁に設けられた凹部であり、底部分が流入孔８１に連通するように形成されている。
そして、連通凹部８２は、図２に示すように、光入射側から見て左右方向に延びるように形成されている。
複数の溝部８３は、図３に示すように、第２凹部７２の底部分にそれぞれ形成され、下方側が連通凹部８２にそれぞれ連通し、連通凹部８２との連通位置から上方側に延びて開口部７３の第１内側縁７３Ｄにそれぞれ貫通する断面半円状の溝（図４参照）である。
【００２６】
なお、本実施形態では、溝部８３は、図２に示すように、７つ形成されている。
また、７つの溝部８３は、図２に示すように、液晶パネル６に入射する光束の光軸に沿う方向から見て、連通凹部８２との連通位置から、液晶パネル６（入射側防塵ガラス６Ｃ）の表面の中心位置Ｏに向けてそれぞれ延びるように形成されている。
そして、貫通孔８は、図２に示すように、液晶パネル６に入射する光束の光軸に沿う方向から見て、中心位置Ｏを通り、第１内側縁７３Ｄに直交する仮想線Ｖを基準として対称となるように形成されている。
【００２７】
そして、光学素子保持部７に液晶パネル６が収納された状態では、各溝部８３及び連通凹部８２の開口部分が液晶パネル６にて閉塞され、流入孔８１に流入した空気を、流入孔８１〜連通凹部８２〜各溝部８３を介して開口部７３内部に流出させる流路Ｃ（図５参照）が形成される。
【００２８】
〔液晶パネルの冷却構造〕
図４及び図５は、液晶パネル６の冷却構造を示す図である。具体的に、図４は、光変調装置５と冷却ファン４との接続状態を模式的に示す図である。図５は、空気の流通状態を示す図である。
冷却ファン４は、図４に示すように、空気を吐出する吐出口（図示略）がチューブ等の空気流通管４Ａを介して光学素子保持部７の接続管８１Ａに接続する。そして、冷却ファン４は、空気流通管４Ａを介して光学素子保持部７に空気を導入する。
光学素子保持部７に導入された空気は、図５に示すように、流路Ｃを辿って流通し、第１内側縁７３Ｄの７つの位置（各溝部８３の形成位置）から開口部７３内部にそれぞれ流出し、液晶パネル６（入射側防塵ガラス６Ｃ）の表面に沿ってそれぞれ流通する。
【００２９】
ここで、７つの溝部８３は、上述したように、中心位置Ｏに向うように延びている。
このため、７つの溝部８３を介した空気Ａ１〜Ａ７は、図５に示すように、中心位置Ｏで互いに交差する流通方向Ｒ１〜Ｒ７（各溝部８３の延出方向）に沿って流通する。
すなわち、空気Ａ１〜Ａ７は、中心位置Ｏで互いに衝突し、乱流の状態で液晶パネル６の表面に沿って流通しながら、液晶パネル６を冷却する。
【００３０】
上述した第１実施形態によれば、以下の効果がある。
本実施形態では、プロジェクター１は、冷却ファン４と、貫通孔８が形成された光学素子保持部７と、冷却ファン４の吐出口、及び接続管８Ａ（貫通孔８）を接続する空気流通管４Ａとを備える。
このことにより、冷却ファン４から吐出された空気を、空気流通管４Ａ及び貫通孔８を介して開口部７３の第１内側縁７３Ｄから液晶パネル６の表面に沿って確実に流通させることができる。
したがって、液晶パネル６を効果的に冷却できる。
【００３１】
また、貫通孔８が７つの溝部８３を備えるので、冷却ファン４からの空気を開口部７３の第１内側縁７３Ｄにおける７つの位置（各溝部８３の形成位置）から液晶パネル６の表面に沿ってそれぞれ流通させることができる。
すなわち、液晶パネル６の表面全体に亘って空気を流通させることができ、液晶パネル６全体を均等に冷却することができる。
【００３２】
さらに、７つの溝部８３を介した空気Ａ１〜Ａ７の各流通方向Ｒ１〜Ｒ７が互いに交差するように設定されている。
このことにより、７つの溝部８３を介した空気Ａ１〜Ａ７同士を互いに衝突させることができる。このため、当該衝突によって、液晶パネル６の表面に沿って乱流の状態で空気を流通させることができる。
そして、液晶パネル６の表面に沿って乱流の状態で空気が流通した場合には、液晶パネル６の表面に存在する速度境界層を破壊あるいは薄くすることができる。
すなわち、液晶パネル６の表面の速度境界層を破壊あるいは薄くすることで、流通する空気と液晶パネル６との間で熱交換を良好に行わせることができ、液晶パネル６をより効果的に冷却できる。
【００３３】
また、各流通方向Ｒ１〜Ｒ７が中心位置Ｏで互いに交差するので、７つの溝部８３を介した空気Ａ１〜Ａ７同士を中心位置Ｏで互いに衝突させることができる。
すなわち、液晶パネル６の表面に沿って流通する空気には、液晶パネル６の表面における中心領域（中心位置Ｏを含む所定の領域）で乱流が生じることとなり、当該中心領域の速度境界層を主に破壊あるいは薄くすることができる。
したがって、液晶パネル６の表面における中心領域の速度境界層を主に破壊あるいは薄くすることで、流通する空気により当該中心領域を主に冷却し、液晶パネル６の温度分布を均一化することができる。
【００３４】
さらに、貫通孔８は、開口部７３の第１内側縁７３Ｄにおける７つの位置にそれぞれ貫通し、仮想線Ｖを基準として対称となるように設けられている。
このことにより、例えば、第１内側縁７３Ｄを仮想線Ｖで第１領域及び第２領域に分けた場合に、第１領域からの空気（例えば、空気Ａ２〜Ａ４）と、第２領域からの空気（例えば、空気Ａ５〜Ａ７）とのバランス（流量や流速等のバランス）をとることができる。
したがって、７つの溝部８３を介した空気Ａ１〜Ａ７同士を、液晶パネル６の表面における仮想線Ｖ上の中心位置Ｏで衝突させるように容易に設定できる。
【００３５】
[第２実施形態]
次に、本発明の第２実施形態を図面に基づいて説明する。
図６は、第２実施形態における光学素子保持部７を光入射側から見た図である。
以下の説明では、前記第１実施形態と同様の構造及び同一部材には同一符号を付して、その詳細な説明は省略または簡略化する。
本実施形態では、前記第１実施形態に対して、図６に示すように、７つの溝部８３を介した空気Ａ１〜Ａ７の流通方向Ｒ１〜Ｒ７が異なる。その他の構成は、前記第１実施形態と同様である。
【００３６】
具体的に、７つの溝部８３は、図６に示すように、液晶パネル６に入射する光束の光軸に沿う方向から見て、連通凹部８２との連通位置から上方側に向けて延び、互いに平行となるように形成されている。
このため、７つの溝部８３を介した空気Ａ１〜Ａ７は、図６に示すように、互いに平行となる流通方向Ｒ１〜Ｒ７（各溝部８３の延出方向）に沿って流通する。
【００３７】
また、本実施形態の冷却ファン４は、液晶パネル６の表面に沿って流通する空気に乱流が生じるように、空気を吐出する。
ここで、液晶パネル６の表面に沿って流通する空気に乱流が生じる条件は、以下に示すように定義される。
すなわち、流体の流速をｕ、代表長さをＬ、動粘性係数をνとした場合、以下の式（１）で示されるレイノルズ数Ｒｅが３０００００以上となると、流体の流通状態が層流から乱流に遷移することが知られている。
【００３８】
〔数１〕  
2012198403.tif 000003
【００３９】
なお、式（１）において、代表長さＬは、空気の流れ方向の長さ（第１，第２内側縁７３Ｕ，７３Ｄ間の離間寸法）を意味する。
また、本実施形態では、流体として空気を利用しているため、式（１）において、動粘性係数νは、空気の動粘性係数である。
そして、本実施形態では、冷却ファン４は、開口部７３内部に流入した空気の流速ｕが、式（１）において、レイノルズ数が３０００００以上となる流速ｕとなるように空気を吐出する。
したがって、空気Ａ１〜Ａ７は、開口部７３内部に流入した後、層流ではなく乱流の状態で液晶パネル６の表面に沿って流通することとなる。
【００４０】
上述した第２実施形態によれば、前記第１実施形態と同様の効果の他、以下の効果がある。
本実施形態では、冷却ファン４は、乱流の状態で液晶パネル６の表面に沿って空気を流通させる。
すなわち、液晶パネル６の表面に沿って乱流の状態で空気を流通させることで、液晶パネル６の表面に存在する速度境界層を破壊あるいは薄くすることができ、流通する空気と液晶パネル６との間で熱交換を良好に行わせて液晶パネル６をより効果的に冷却できる。
【００４１】
なお、本発明は前述の実施形態に限定されるものではなく、本発明の目的を達成できる範囲での変形、改良等は本発明に含まれるものである。
前記各実施形態において、冷却対象として液晶パネル６を採用していたが、これに限らず、偏光変換素子３２３、入射側偏光板３５、出射側偏光板３７等の他の光学素子を冷却対象としても構わない。
前記各実施形態において、貫通孔８の形成位置は、前記各実施形態で説明した形成位置に限らず、その他の位置に形成しても構わない。
また、前記各実施形態では、貫通孔８は、空気の流路下流側が分岐した構成（溝部８３を複数設けた構成）としていたが、これに限らず、溝部８３を１つのみ有する貫通孔８を光学素子保持部７に複数設けた構成を採用しても構わない。
【００４２】
前記各実施形態では、液晶パネル６は、３つ設けられていたが、その数は３つに限らず、１つ、２つ、あるいは、４つ以上であっても構わない。
前記各実施形態において、光変調装置としては、透過型または反射型の液晶パネルの他、マイクロミラーを用いたデバイス等、液晶以外の光変調装置を採用しても構わない。
前記各実施形態では、スクリーンを観察する方向から投射を行うフロントタイプのプロジェクターの例のみを挙げたが、本発明は、スクリーンを観察する方向とは反対側から投射を行うリアタイプのプロジェクターにも適用可能である。
【産業上の利用可能性】
【００４３】
本発明は、プレゼンテーションやホームシアターに用いられるプロジェクターに利用できる。
【符号の説明】
【００４４】
１・・・プロジェクター、４・・・冷却ファン、６・・・液晶パネル（光学素子）、７・・・光学素子保持部、８・・・貫通孔、７３・・・開口部、７３Ｄ，７３Ｕ，７３Ｌ，７３Ｒ・・・第１〜第４内側縁、Ｏ・・・中心位置、Ｒ１〜Ｒ７・・・流通方向、Ｖ・・・仮想線。
【図１】
2012198403.tif 000004
【図２】
2012198403.tif 000005
【図３】
2012198403.tif 000006
【図４】
2012198403.tif 000007
【図５】
2012198403.tif 000008
【図６】
2012198403.tif 000009